(57)【要約】      （修正有）【課題】ブリザードフラワー等の内容物の輸送時には封筒等の梱包資材に挿入しやすい様に平板な形状を有し、内容物を簡易かつ効果的にディスプレイし得る、輸送に適した形状可変式ディスプレイ箱を提供する。【解決手段】ブリザードフラワー等の内容物を展示するための複数のボックスが連なって結合され、各ボックスは、透明部材を備えた展示部を含み、内容物の輸送時には、平板な形状に変化し、内容物の展示時には、各ボックスを結合部位で折り畳んで、各展示部が同一方面に向くよう形状を変化させることで、内容物を同一方面に展示させることを可能とすることを特徴とする。【選択図】図１
0003162217.tif 000002
【実用新案登録請求の範囲】
【請求項１】
ブリザードフラワー等の内容物を展示するための複数のボックスが連なって結合した，輸送に適した形状可変式ディスプレイ箱であって，
前記各ボックスは，透明部材を備えた展示部を含み，
前記内容物の輸送時には，平板な形状に変化し，前記内容物の展示時には，前記各ボックスを結合部位で折り畳んで，前記各展示部が同一方面に向くよう形状を変化させることで，前記内容物を同一方面に展示させることを可能とする，輸送に適した形状可変式ディスプレイ箱。
【請求項２】
展示時に前記各展示部が同一方面を向くよう，前記各ボックスが，隣接する一方のボックスと，それぞれの展示部の一辺で結合するとともに，隣接する他方のボックスと，それぞれの前記展示部と反対の面の一辺で結合していることを特徴とする，請求項１に記載の輸送に適した形状可変式ディスプレイ箱。
【請求項３】
展示時に前記各展示部が同一方面を向くよう，前記各ボックスが，隣接する一方のボックスと，それぞれの展示部に垂直な面の一辺で結合するとともに，隣接する他方のボックスと，それぞれの前記展示部の一辺で結合していることを特徴とする，請求項１に記載の輸送に適した形状可変式ディスプレイ箱。
【請求項４】
前記平板な形状を安定させるために，前記各ボックスに外接し得る輸送時形状安定部材と，
前記各展示部が同一方面に向いた形状を安定させるために，前記各ボックスに外接し得る展示時形状安定部材と，
をさらに含むことを特徴とする，請求項１乃至請求項３のいずれかに記載の輸送に適した形状可変式ディスプレイ箱。
【請求項５】
展示時に，垂直面に取り付け可能とする垂直面取付用部材と，
をさらに含むことを特徴とする，請求項１乃至請求項４のいずれかに記載の輸送に適した形状可変式ディスプレイ箱。
【請求項６】
展示時に，複数のボックスで動物，各種キャラクター，文字，絵，ハートマーク等の形状を形成し得る，仕切りを各ボックス内部に設けたことを特徴とする，請求項１乃至請求項５のいずれかに記載の輸送に適した形状可変式ディスプレイ箱。
【考案の詳細な説明】
【技術分野】
【０００１】  本考案は，ブリザードフラワー等の内容物の輸送時には封筒等の梱包資材に挿入しやすい平板な形状を有し，展示時には各ボックスの特定部位を折り畳んで形状を変化させ，かつ展示部を透明な部材で構成させること等によって，内容物を簡易かつ効果的にディスプレイし得る，輸送に適した形状可変式ディスプレイ箱に関するものである。
【背景技術】
【０００２】  縦，横，高さが一定以上となる立体的物品，例えばブリザードフラワー，ドライフラワー等を，アレンジ・デザインしたギフト商品等として輸送等する際，アレンジ・デザインした物品を入れる箱が縦，横，高さの３方向に嵩張って封筒等の平板な梱包資材を使用することが困難となると同時に，輸送先の郵便受け等に挿入しにく形状になることが多い。【０００３】  また，輸送時に郵便受け等に挿入できない物品の輸送先不在時の際は，再配送等の手間がかかり，輸送コストが高くなることもあり，特定サイズ物品輸送の問題となっている。
【考案の開示】
【考案が解決しようとする課題】
【０００４】  本考案は，上記述べた従来の問題点を解決するためになされたもので，その目的とするところは，輸送時には封筒等の梱包資材に挿入しやすいに平板な形状を有し，展示時には各ボックスの特定部位を折り畳んで形状を変化させ，かつ展示部を透明な部材で構成させること等によって，内容物を簡易かつ効果的にディスプレイし得る、輸送に適した形状可変式ディスプレイ箱を提供することである。
【課題を解決するための手段】
【０００５】  上記目的を達成するために，本考案に係る輸送に適した形状可変式ディスプレイ箱は，ブリザードフラワー等の内容物を展示するための複数のボックスが連なって結合され，各ボックスは，透明部材を備えた展示部を含み，内容物の輸送時には，平板な形状に変化し，内容物の展示時には，各ボックスを結合部位で折り畳んで，各展示部が同一方面に向くよう形状を変化させることで，内容物を同一方面に展示させることを可能とすることを特徴とする。【０００６】  さらに，本考案に係る輸送に適した形状可変式ディスプレイ箱は，展示時に各展示部が同一方面を向くよう，各ボックスが，隣接する一方のボックスと，それぞれの展示部の一辺で結合するとともに，隣接する他方のボックスと，それぞれの展示部と反対の面の一辺で結合していることを特徴とする。【０００７】  また，本考案に係る輸送に適した形状可変式ディスプレイ箱は，展示時に各展示部が同一方面を向くよう，各ボックスが，隣接する一方のボックスと，それぞれの展示部に垂直な面の一辺で結合するとともに，隣接する他方のボックスと，それぞれの展示部の一辺で結合していることを特徴とする。【０００８】  さらに，本考案に係る輸送に適した形状可変式ディスプレイ箱は，平板な形状を安定させるために，各ボックスに外接し得る輸送時形状安定部材と，各展示部が同一方面に向いた形状を安定させるために，各ボックスに外接し得る展示時形状安定部材とをさらに含むことを特徴とする。【０００９】  また，本考案に係る輸送に適した形状可変式ディスプレイ箱は，展示時に，垂直面に取り付け可能とする垂直面取付用部材とをさらに含むことを特徴とする。【００１０】  それに加え，本考案に係る輸送に適した形状可変式ディスプレイ箱は，展示時に，各ボックス内部に設けた仕切りで動物，各種キャラクター，文字，絵，ハートマーク等の形状を形成し得ることを特徴とする。
【考案の効果】
【００１１】  本考案に係る輸送に適した形状可変式ディスプレイ箱を使用すると，ブリザードフラワー，ドライフラワー等の内容物が縦，横，高さの３方向に嵩張るのを防止できるため，封筒等の平板な梱包資材に入れて，輸送することが出来る。従って，輸送先の郵便受け等に容易に挿入することが可能となる。【００１２】  また，本考案に係る輸送に適した形状可変式ディスプレイ箱を使用すると，各ボックスの特定部位を折り畳んで形状を変化させ，かつ展示部を透明な部材で構成させること等によって，内容物を簡易かつ効果的にディスプレイし得ることが出来る。【００１３】  さらに，本考案によれば，輸送時，展示時のディスプレイ箱の形状を安定させることが出来，展示の際には，壁等の垂直面に取り付けることも可能となる。【００１４】  また，本考案に係る輸送に適した形状可変式ディスプレイ箱によれば，展示時に，動物，各種キャラクター，文字，絵，ハートマーク等の形状を現すことが出来る。
【考案を実施するための最良の形態】
【００１５】  図１は，本考案の第１の実施形態に係る輸送に適した形状可変式ディスプレイ箱の輸送時の状態を示している。この実施形態では，紙製の４つのボックスＡ，Ｂ，Ｃ，Ｄが図のように連なって結合している。ここで，１〜３の各辺は，各ボックスを折り畳む際に軸となる，折り曲げ辺である。４は，ボックスＡに保持されたブリザードフラワー等の内容物を外部に展示するための展示部である。【００１６】  図２は，ボックスＡの構造を説明するものである。ボックスＡの底面は展示部４である。この面は切り取られ，そのかわり，コ字状等の透明プラスチック部材８を，ボックスＡに内接するよう下からはめ込めるようになっている。ボックスＣも同じ構造となっている。【００１７】  ボックスＢ，Ｄは，上面がそれぞれ展示部５，７となっており，コ字状等の透明プラスチック部材を，各ボックスに内接するよう上からはめ込めるようになっている。【００１８】  透明プラスチック部材は，ブリザードフラワー等の内容物を入れる際には，各ボックスから取り外し，入れ終わった後に各ボックスにはめ込むようになっている。【００１９】  ボックスＡとボックスＢは，背面の折り曲げ辺１を軸として折り曲げ可能に結合され，ボックスＢとボックスＣは，前面の折り曲げ辺３を軸として折り曲げ可能に結合され，ボックスＣとボックスＤは，背面の折り曲げ辺２を軸として折り曲げ可能に結合されている。【００２０】  第１の実施の形態に係る輸送に適した形状可変式ディスプレイ箱は，図１のように，輸送時には，ボックスＡの展示部４とボックスＢの展示部５が対面し，さらに，ボックスＣの展示部６とボックスＤの展示部７が対面することで，平板な形状となっている。【００２１】  図３は，輸送する際，平板な形状を保つために，包装フィルム等の輸送時形状安定部材９を輸送に適した形状可変式ディスプレイ箱に外接させた様子を，背面側から見た平面図である。この実施の形態では，なお輸送時形状安定部材９は，ディスプレイ箱の６面全てを包み込んでいるが，４面を包む筒状であっても構わない。【００２２】  本考案に係る輸送に適した形状可変式ディスプレイ箱は，輸送時に安定した平板形状を有することから，封筒等の梱包資材に入れやすく，且つ輸送先の郵便受けにも入れやすくなっている。【００２３】  図４−１は，各折り曲げ辺１，２，３で各ボックスを折り畳んで，各展示部４，５，６，７を同一方面（前面）に展開した様子を示している。図４−２は，展示部とは反対の面の様子を，図４−３は，展示時の輸送に適した形状可変式ディスプレイ箱を横から見た様子を示している。【００２４】  ボックスＡを折り曲げ辺１を軸として折り曲げて，ボックスＡの背面とボックスＢの背面とを接触させ，ボックスＣを折り曲げ辺３を軸として折り曲げて，ボックスＢの前面とボックスＣの前面とを接触させ，ボックスＤを折り曲げ辺２を軸として折り曲げて，ボックスＣの背面とボックスＤの背面とを接触させるなどして，各ボックスの内容物を同一方面に展示することが出来る。【００２５】  １０は，紙，プラスチック，アクリル板等からなる展示時形状安定部材であり，これを各ボックスに外接されることで，輸送に適した形状可変式ディスプレイ箱の展示時の形状が��れるのを防ぐことができる。【００２６】  １１は，紙，プラスチック，透明アクリル板等からなる垂直面取付部材で，この部分を壁に打ち込まれた釘等に掛けるなどして，輸送に適した形状可変式ディスプレイ箱を壁等の垂直面に取り付けることが出来る。【００２７】  なお，展示時に，動物，各種キャラクター，ハートマーク等のデザインが現れるよう，紙，プラスチック，透明アクリル板等からなる仕切りを各ボックス内に設けることが出来る。図５には，展開時にハートマークのデザインが現れるよう，各ボックス内に仕切り１２を設けた様子を示している。【００２８】  図６は，本考案の第２の実施の形態に係る輸送に適した形状可変式ディスプレイ箱の輸送時の状態を示している。この実施形態では，紙製の４つのボックスＡ，Ｂ，Ｃ，Ｄが図のように連なって結合している。ここで，１３〜１５の各辺は，各ボックスを折り畳む際に軸となる，折り曲げ辺である。１６〜２２は，隣接した各ボックスが結合していない部分である，切り込み辺を示している。２３〜２６は，各ボックス内に保持されたブリザードフラワー等の内容物を外部に展示するための展示部である。【００２９】  ボックスＡとボックスＢは，上面の折り曲げ辺１３を軸として折り曲げ可能に結合され，ボックスＢとボックスＣは，下面の折り曲げ辺１４を軸として折り曲げ可能に結合され，ボックスＣとボックスＤは，上面の折り曲げ辺１５を軸として折り曲げ可能に結合されている。【００３０】  第２の実施の形態に係る輸送に適した形状可変式ディスプレイ箱は，図６のように，輸送時には，ボックスＡの展示部２３とボックスＤの展示部２６が対面し，さらに，ボックスＢの展示部２４とボックスＣの展示部２５が対面することで，平板な形状となっている。【００３１】  ボックスＡを折り曲げ辺１３を軸として折り曲げて，ボックスＡの上面とボックスＢの上面とを接触させ，ボックスＣを折り曲げ辺１４を軸として折り曲げて，ボックスＢの下面とボックスＣの下面とを接触させ，ボックスＤを折り曲げ辺１５を軸として折り曲げて，ボックスＣの上面とボックスＤの上面とを接触させるなどして，各ボックスの内容物を同一方面に展示することが出来る。【００３２】  図７は，各折り曲げ辺１３，１４，１５で各ボックスを折り畳んで，各展示部２３，２４，２５，２６を同一方面（前面）に展開した様子を示している。【００３３】  第１及び第２の実施の形態では，紙製のボックスを使用したがそれに限定されるわけではなく，プラスチック，透明アクリル板等のボックスも使用しうる。また，ボックスの数も４つに限定されるわけではない。
【図面の簡単な説明】
【００３４】
【図１】  本考案の第１の実施の形態に係る輸送に適した形状可変式ディスプレイ箱の輸送時の様子を示す説明図である。
【図２】  本考案の第１の実施の形態に係る輸送に適した形状可変式ディスプレイ箱を構成するボックスの構造を示す説明図である。
【図３】  本考案の第１の実施の形態に係る輸送に適した形状可変式ディスプレイ箱に輸送時形状安定部材を外接させた様子を示す正面図である。
【図４】  本考案の第１の実施の形態に係る輸送に適した形状可変式ディスプレイ箱において，各展示部が同一方向を向くよう各ボックスを折り畳んだ様子を示す正面図，背面図及び右側面図である。
【図５】  本考案の第１の実施の形態に係る輸送に適した形状可変式ディスプレイ箱において，展開時に，各ボックスの透明プラスチック部材でハートマークのデザインを形造った様子を示す説明図である。
【図６】  本考案の第２の実施の形態に係る輸送に適した形状可変式ディスプレイ箱の輸送時の様子を示す説明図である。
【図７】  本考案の第２の実施の形態に係る輸送に適した形状可変式ディスプレイ箱において，各展示部が同一方向を向くよう各ボックスを折り畳んだ様子を示す説明図である。
【符号の説明】
【００２９】１，２，３  折り曲げ辺
４  ボックスＡの展示部
５  ボックスＢの展示部
６  ボックスＣの展示部
７  ボックスＤの展示部
８  透明プラスチック部材
９  輸送時形状安定部材
１０  展示時形状安定部材
１１  垂直面取付部材
１２  仕切り
１３，１４，１５  折り曲げ辺
１６，１７，１８，１９，２０，２１，２２  切り込み辺
２３  ボックスＡの展示部
２４  ボックスＢの展示部
２５  ボックスＣの展示部
２６  ボックスＤの展示部
【図１】
0003162217.tif 000003
【図２】
0003162217.tif 000004
【図３】
0003162217.tif 000005
【図４−１】
0003162217.tif 000006
【図４−２】
0003162217.tif 000007
【図４−３】
0003162217.tif 000008
【図５】
0003162217.tif 000009
【図６】
0003162217.tif 000010
【図７】
0003162217.tif 000011